(57)【要約】【課題】燃焼排ガスの処理に際し、次亜塩素酸ソーダの使用量を大幅に低減し、トリハロメタン類等の生成を抑制し、オゾン触媒塔に加わる負荷も低減し、装置及び運転コストを抑制する。【解決手段】燃焼排ガス中の水溶性成分等を捕集する湿式集塵機２と、湿式集塵機に導入される燃焼排ガスに添加するオゾンを生成するオゾン生成装置１４と、湿式集塵機に導入される燃焼排ガスに添加する次亜塩素酸ソーダを生成する次亜塩素酸ソーダ生成装置１３と、湿式集塵機を通過した燃焼排ガス中のＮＯｘ及び／又は残留性有機汚染物質を分解して除去する触媒塔と、湿式集塵機からのスラリーを固液分離する固液分離機６、７と、固液分離された液体中の水銀を吸着する水銀吸着塔８と、固液分離された液体中の微量溶解成分を分解処理するオゾン触媒塔９と、水銀吸着塔及び／又はオゾン触媒塔からの排水を湿式集塵機に戻す循環ルート１１とを備える燃焼排ガス処理装置１等。【選択図】図１
2008132413.tif 000002
【特許請求の範囲】
【請求項１】
燃焼排ガス中の水溶性成分及びダストを捕集する湿式集塵機と、
該湿式集塵機に導入される燃焼排ガスに添加するオゾンを生成するオゾン生成装置と、
前記湿式集塵機に導入される燃焼排ガスに添加する次亜塩素酸ソーダを生成する次亜塩素酸ソーダ生成装置と、
前記湿式集塵機を通過した燃焼排ガス中のＮＯｘ及び／又は残留性有機汚染物質を分解して除去する触媒塔と、
前記湿式集塵機から排出されたスラリーを固液分離する固液分離機と、
該固液分離機で分離された液体中の水銀を吸着する水銀吸着塔と、
前記固液分離機で分離された液体中の微量溶解成分を分解処理するオゾン触媒塔と、
前記水銀吸着塔及び／又はオゾン触媒塔からの排水を前記湿式集塵機に戻す循環ルートとを備えることを特徴とする燃焼排ガス処理装置。
【請求項２】
前記湿式集塵機を通過した燃焼排ガス中の水銀濃度を測定し、該水銀濃度に応じて前記湿式集塵機に導入される燃焼排ガスに添加するオゾンの量を調整することを特徴とする請求項１に記載の燃焼排ガス処理装置。
【請求項３】
前記水銀吸着塔から排出された洗煙水中の残留遊離塩素濃度を測定し、該塩素濃度に応じて前記湿式集塵機に導入される燃焼排ガスに添加する次亜塩素酸ソーダの量を調整することを特徴とする請求項１又は２に記載の燃焼排ガス処理装置。
【請求項４】
前記循環ルートを介して前記湿式集塵機に戻される排水の少なくとも一部を前記次亜塩素酸ソーダ生成装置に導く給水ルートを備えることを特徴とする請求項１、２又は３に記載の燃焼排ガス処理装置。
【請求項５】
前記循環ルートに設置され、該循環ルートを流れる排水から塩化ナトリウムを濃縮して前記次亜塩素酸ソーダ生成装置に供給する塩濃縮膜を備えることを特徴とする請求項１乃至４のいずれかに記載の燃焼排ガス処理装置。
【請求項６】
次亜塩素酸ソーダ及びオゾンを添加した燃焼排ガス中の水溶性成分及びダストを捕集する湿式集塵機から排出されたスラリーを固液分離し、
分離された液体中の水銀を吸着するとともに、分離された液体中の微量溶解成分を分解し、
前記水銀の吸着後、及び前記微量溶解成分の分解後の液体を前記湿式集塵機に戻すことを特徴とする湿式集塵機排水処理方法。
【請求項７】
前記水銀の吸着後、及び前記微量溶解成分の分解後の液体の少なくとも一部を、該湿式集塵機の循環水に添加する次亜塩素酸ソーダの製造に利用することを特徴とする請求項６に記載の湿式集塵機排水処理方法。
【請求項８】
前記水銀の吸着後、及び前記微量溶解成分の分解後の液体の少なくとも一部を系外に排水し、前記水銀の吸着後、及び前記微量溶解成分の分解後の液体から製造した塩化ナトリウムを、該湿式集塵機の循環水に添加する次亜塩素酸ソーダの製造に利用することを特徴とする請求項６又は７に記載の湿式集塵機排水処理方法。
【請求項９】
前記微量溶解成分の分解をオゾン触媒塔で行うことを特徴とする請求項６、７又は８に記載の湿式集塵機排水処理方法。
【請求項１０】
前記湿式集塵機から排出され、該湿式集塵機に戻されることのない洗煙水又はスラリーに水酸化カルシウム又は酸化カルシウムを供給し、硫酸ミストを石膏に転換することを特徴とする請求項６乃至９のいずれかに記載の湿式集塵機排水処理方法。
【発明の詳細な説明】
【技術分野】
【０００１】
本発明は、都市ごみ焼却炉、セメント焼成設備等の燃焼排ガスを処理する燃焼排ガス処理装置、及びこのような燃焼排ガス処理装置等に用いられる湿式集塵機から排出される液体を処理する方法に関する。
【背景技術】
【０００２】
都市ごみ等を焼却する焼却炉からの燃焼排ガス中には、ＳＯｘ、ＮＯｘ等に加え、微量の毒性の強い残留性有機汚染物質が含まれている。この残留性有機汚染物質等を除去するため、種々の技術が提案されている。しかし、残留性有機汚染物質等の除去に活性炭等の吸着剤を用いると、残留性有機汚染物質を吸着した活性炭が廃棄物として排出されるため、使用済みの活性炭を処分する必要がある。また、都市ごみ焼却炉等ではＮＯｘを低減するために脱硝剤を使用しているが、脱硝剤の使用量が多いと運転コストが高騰するという問題もあった。
【０００３】
また、近年、リサイクル資源活用の要請に応え、セメント焼成設備には、種々のリサイクル資源が原料系及び焼成系に投入されているが、今後、リサイクル資源の投入量が増加し続けると、上記都市ごみ焼却炉等と同様、有害物質の排出量の増加、及び運転コストの増加が懸念される。特に、セメント焼成設備で発生する燃焼排ガスは多量であるため、燃焼排ガスに含まれる有害物質が微量であっても、有害物質を除去するための設備は大規模なものとなり、設備コスト及び運転コストの増大に繋がる可能性がある。
【０００４】
そこで、本出願人は、特許文献１において、都市ごみ焼却炉、セメントキルン等に適用することができ、使用済みの活性炭を処分する必要がなく、ＮＯｘを含む有害物質を効率よく低減することができ、設備コスト及び運転コストを低減することのできる燃焼排ガス処理装置及び処理方法を提案した。
【０００５】
この燃焼排ガス処理装置は、図２に示すように、セメント焼成設備５１の後段に配設された電気集塵機３２と、燃焼排ガス中の水溶性成分及びダストを捕集する湿式集塵機３３と、再加熱器３７と、ＮＯｘ等を分解して除去する触媒塔３８と、熱回収器３９と、湿式集塵機３３から排出されたスラリーを固液分離する固液分離機４２と、固液分離機４２で分離された液体中の水銀を吸着する水銀吸着塔４３と、水銀が除去された液体を処理する排水処理設備４４等で構成される。
【０００６】
上記燃焼排ガス処理装置３１において、セメントキルン５２からの燃焼排ガスＧは、電気集塵機３２にもたらされ、燃焼排ガスＧ中のほとんどのダストが回収された後、湿式集塵機３３に導入される。ここで、燃焼排ガスＧ中の水溶性成分及び残存ダストを捕集し、後段の触媒塔３８の寿命に大きな影響を与えるダスト、水銀（Ｈｇ）等を除去する。
【０００７】
湿式集塵機３３で発生した洗煙水又はスラリーは、循環液槽３５及びポンプ３６を介して循環し、燃焼排ガスＧと液体との接触が充分に行われ、酸化剤生成装置４５から供給された次亜塩素酸ソーダ等による水銀等の酸化、並びに水溶性成分及びダストの回収が行われる。
【０００８】
水溶性成分、ダスト等が除去された燃焼排ガスＧは、ミストセパレーター３４から再加熱器３７に導入されて加熱された後、触媒塔３８に導入される。再加熱器３７の入口側には、触媒塔３８において用いる脱硝剤としてのアンモニア（ＮＨ3）を注入する。触媒塔３８において、燃焼排ガスＧ中のＮＯｘ、残留性有機汚染物質が分解される。触媒塔３８から排出された燃焼排ガスＧは、熱回収器３９、ファン４０及び煙突４１を経て大気に放出される。
【０００９】
一方、循環液槽３５から排出されたスラリーＳは、固液分離機４２によって固液分離され、分離された液体中の水銀は、クロロ錯イオン（ＨｇＣｌ42-）として水に溶解し、これを水銀吸着塔４３で吸着した後、系外で処理する。水銀が除去された液体は、排水処理設備４４で処理され、湿式集塵機３３で再利用したり、セメントキルン５２の燃焼排ガスＧの冷却等に利用することもできる。
【００１０】
しかし、上記特許文献１に記載の燃焼排ガス処理装置及び処理方法において、湿式集塵機３３は、燃焼排ガスＧ中の水分を凝縮、回収する作用も有する。そのため、水銀を除去した後の排水処理設備４４からの排水は、例えば、セメントキルン排ガスの減温や調湿に利用することのできる水量を超え、余剰となる場合が生ずることが判明した。そこで、この余剰水の処理法が求められていた。
【００１１】
また、上記に加え、水銀等を酸化した後、酸化された水銀等を湿式集塵機において吸収するため、湿式集塵機３３の循環水にオゾンを添加した場合には、排ガス中のＮＯが酸化されてＮＯ2となり、かえって臭気を増加させるという問題もあった。
【００１２】
そこで、上記問題を解決するため、本出願人は、特許文献２において、燃焼排ガスを処理する際に、系外への排水を最小限に抑え、排ガス中のＮＯｘ等を効率的に低減することのできる燃焼排ガス処理装置及び処理方法を提案した。
【００１３】
この燃焼排ガス処理装置は、図３に示すように、図示しないセメント焼成設備の後段に配設された電気集塵機等から排出された燃焼排ガスＧ中の水溶性成分及びダストを捕集する湿式集塵機６２と、ミストセパレーター６３と、循環液槽６４と、ポンプ６５と、循環液槽６４から排出されたスラリーＳに含まれるスラッジＳＬ１を沈降除去するための沈降装置６６と、沈降装置６６から排出されたスラリーＳを固液分離してスラッジＳＬ２を排出するろ過フィルタ６７と、ろ過フィルタ６７から排出された液体中の水銀を吸着する水銀吸着塔６８と、液体中の微量溶解成分を分解処理するオゾン触媒塔６９と、オゾン触媒塔６９に供給するオゾンを発生させるオゾン発生装置７０と、オゾン触媒塔６９の排水Ｗを湿式集塵機６２に戻す循環ルート７１と、循環ルート７１上に配置され、排水Ｗ中の塩を濃縮して電解式次亜塩素酸ソーダ生成装置７３に供給するための塩濃縮膜７２と、湿式集塵機６２へ導入される燃焼排ガスＧに添加する次亜塩素酸ソーダを発生させる電解式次亜塩素酸ソーダ生成装置７３とで構成される。
【００１４】
上記構成により、セメントキルンからの燃焼排ガスＧは、電気集塵機等において、燃焼排ガスＧ中のダストが回収された後、湿式集塵機６２に導入される。湿式集塵機６２において、燃焼排ガスＧ中の水溶性成分及びダストを捕集し、後段の触媒塔の寿命に大きな影響を与えるダスト、水銀（Ｈｇ）等を除去する。
【００１５】
湿式集塵機６２で発生した洗煙水又はスラリーは、循環液槽６４及びポンプ６５を介して循環し、燃焼排ガスＧと液体との接触が充分に行われ、電解式次亜塩素酸ソーダ生成装置７３から供給された次亜塩素酸ソーダによる水銀等の酸化、並びに水溶性成分及びダスト等の回収を効率よく行うことができる。硫酸ミストは、湿式集塵機６２に導入されたダストに含まれるＣａＯによって石膏に転換することができるが、ＣａＯの量が不足する場合には、ポンプ６５の入口側等に水酸化カルシウム（Ｃａ（ＯＨ）2）又は酸化カルシウム（ＣａＯ）を供給する。水溶性成分、ダスト等が除去された燃焼排ガスＧは、ミストセパレーター６３から図示しない触媒塔へ導かれ、ＮＯｘ、残留性有機汚染物質が分解される。
【００１６】
一方、循環液槽６４から排出されたスラリーＳは、沈降装置６６においてスラッジＳＬ１が除去され、ろ過フィルタ６７においてスラッジＳＬ２が除去される。ろ過フィルタから排出された液体に含まれる水銀は、水銀吸着塔６８で吸着され、さらに、オゾン触媒塔６９において、液体中の微量溶解成分がＮ2、ＣＯ2、水等に分解処理される。
【００１７】
水銀、ＮＯｘ等が除去されたオゾン触媒塔６９からの排水Ｗは、循環ルート７１を介して湿式集塵機６２に戻される。排水Ｗは、次亜塩素酸ソーダを用いて水銀を酸化した際に発生する塩化ナトリウムを含む。そこで、排水Ｗを塩濃縮膜７２に供給し、塩濃縮膜７２で濃縮することにより濃縮した塩化ナトリウムが得られるとともに、電解式次亜塩素酸ソーダ生成装置７３に影響を及ぼすスケール成分（Ｃａ、Ｍｇ等）を排除することができる。この塩化ナトリウムを電解式次亜塩素酸ソーダ生成装置７３に供給し、次亜塩素酸ソーダの製造に利用することができる。これによって、薬剤費を低減するとともに、排水Ｗをセメントへ添加した場合のセメント中の塩素量を低減することができる。尚、塩濃縮膜７２からの排水Ｗは、湿式集塵機６２に戻されて湿式集塵に利用される。
【００１８】
ところで、燃焼装置から排出される排ガス処理装置として、特許文献３には、塩化水銀がＳＯ2等により金属水銀に還元され、排ガス中に飛散することを防止し、排ガス中の水銀を効果的に除去するため、排ガス中の水銀を触媒の存在下にて塩化水銀に変換する水銀酸化工程と、スクラバーにて、排ガスを吸収液と接触させて排ガス中から水銀成分を吸収除去する接触工程と、スクラバーへ空気の通気又は酸化剤の添加を行い、空気の通気量又は酸化剤の添加量を調整して、吸収液の酸化還元電位を制御する制御工程とを有し、特に、制御工程において、燃焼装置の負荷又はスクラバー出口の水銀濃度の少なくともいずれか一を検出して、空気通気量又は酸化剤添加量を制御する排ガス中の水銀除去方法等が提案されている。
【００１９】
【特許文献１】ＷＯ２００５／００５０２５号公報
【特許文献２】特開２００６−３０５５１０号公報
【特許文献３】特開２００４−３１３８３３号公報
【発明の開示】
【発明が解決しようとする課題】
【００２０】
しかし、上記特許文献２に記載の燃焼排ガス処理装置及び処理方法において、排ガス中の水銀を処理するためには、次亜塩素酸ソーダが大量に必要となり、また、残塩管理工程が存在しないため、過剰塩素と排ガス中の有機成分との反応により環境ホルモンの一種であるトリハロメタン類の生成が促進されるおそれがあるとともに、後段のオゾン触媒塔に加わる負荷も大きくなるという問題があった。
【００２１】
さらに、次亜塩素酸ソーダ発生装置へ供給する濃縮塩の量も増加するため、洗煙水の処理量も増加し、処理装置を大型化するか、処理装置を複数基設置することが必要となり、装置コスト及び運転コストが増加するという問題があった。
【００２２】
また、硫酸ミストを石膏に転換するための水酸化カルシウム又は酸化カルシウムが、循環液槽内から湿式集塵機へ汲み上げられる循環水に供給されるため、循環水のｐＨ上昇により、該循環水に添加される次亜塩素酸ソーダの機能低下を招くおそれもあった。
【００２３】
そこで、本発明は、上記従来の技術における問題点に鑑みてなされたものであって、燃焼排ガスを処理するにあたって、次亜塩素酸ソーダの使用量を大幅に低減し、トリハロメタン類の生成を抑制し、オゾン触媒塔に加わる負荷の低減等を図ることにより、装置コスト及び運転コストを抑制することが可能な燃焼排ガス処理装置及び湿式集塵機排水処理方法を提供することを目的とする。
【課題を解決するための手段】
【００２４】
上記目的を達成するため、本発明は、燃焼排ガス処理装置であって、燃焼排ガス中の水溶性成分及びダストを捕集する湿式集塵機と、該湿式集塵機に導入される燃焼排ガスに添加するオゾンを生成するオゾン生成装置と、前記湿式集塵機に導入される燃焼排ガスに添加する次亜塩素酸ソーダを生成する次亜塩素酸ソーダ生成装置と、前記湿式集塵機を通過した燃焼排ガス中のＮＯｘ及び／又は残留性有機汚染物質を分解して除去する触媒塔と、前記湿式集塵機から排出されたスラリーを固液分離する固液分離機と、該固液分離機で分離された液体中の水銀を吸着する水銀吸着塔と、前記固液分離機で分離された液体中の微量溶解成分を分解処理するオゾン触媒塔と、前記水銀吸着塔及び／又はオゾン触媒塔からの排水を前記湿式集塵機に戻す循環ルートとを備えることを特徴とする。
【００２５】
そして、本発明によれば、燃焼排ガスを処理するにあたって、次亜塩素酸ソーダ及びオゾンを併用するため、燃焼排ガス中の水銀をオゾンによって効率よく除去することにより、次亜塩素酸ソーダの使用量を低減することができる。これによって、トリハロメタン類等の有害物質の生成を抑制し、オゾン触媒塔に加わる負荷を低減することができる。また、オゾンのみを使用した場合に、排ガス中のＮＯが酸化されてＮＯ2となり、臭気が増加することを防止することもできる。
【００２６】
さらに、次亜塩素酸ソーダの使用量の低減により、次亜塩素酸ソーダ発生装置へ供給する濃縮塩の量も低減することができるため、洗煙水の処理量も低減することができ、装置コスト及び運転コストを抑制することができる。
【００２７】
また、循環ルートを介して水銀吸着塔及び／又はオゾン触媒塔からの排水を湿式集塵機に戻すことができるため、系外への排水を最小限に抑えることができる。この際、排水の循環使用により、固液分離機で分離された液体中の微量溶解成分が濃縮するが、オゾン触媒塔によってこれらの溶解成分を除去することができる。
【００２８】
前記燃焼排ガス処理装置において、前記湿式集塵機を通過した燃焼排ガス中の水銀濃度を測定し、該水銀濃度に応じて前記湿式集塵機に導入される燃焼排ガスに添加するオゾンの量を調整することができる。燃焼排ガス中の水銀濃度が高い場合には、酸化剤の中でも特に水銀の酸化に効果的なオゾンの添加量を増加し、効率よく水銀を除去することができる。
【００２９】
また、前記燃焼排ガス処理装置において、前記水銀吸着塔から排出された洗煙水中の残留遊離塩素濃度を測定し、該塩素濃度に応じて前記湿式集塵機に導入される燃焼排ガスに添加する次亜塩素酸ソーダの量を調整することができる。これにより、前記塩素濃度が高い場合には、次亜塩素酸ソーダの添加量を減少することによって、次亜塩素酸ソーダの過剰添加による有害物質の副生を防止し、前記塩素濃度が低い場合には、次亜塩素酸ソーダの添加量を増加し、水溶性成分及びダスト等を効率よく除去することができる。
【００３０】
前記燃焼排ガス処理装置において、前記循環ルートを介して前記湿式集塵機に戻される排水の少なくとも一部を前記次亜塩素酸ソーダ生成装置に導く給水ルートを備えることができる。これによって、循環ルートを介して塩化ナトリウムを含む排水を次亜塩素酸ソーダ生成装置で有効利用することができる。
【００３１】
前記燃焼排ガス処理装置において、前記循環ルートに設置され、該循環ルートを流れる排水から塩化ナトリウムを濃縮して前記次亜塩素酸ソーダ生成装置に供給する塩濃縮膜を備えることができる。これによって、湿式集塵機に戻す排水の一部を系外に放出するような場合でも、排水に含まれる塩化ナトリウムを有効利用することができる。
【００３２】
また、本発明は、湿式集塵機排水処理方法であって、次亜塩素酸ソーダ及びオゾンを添加した燃焼排ガス中の水溶性成分及びダストを捕集する湿式集塵機から排出されたスラリーを固液分離し、分離された液体中の水銀を吸着するとともに、分離された液体中の微量溶解成分を分解し、前記水銀の吸着後、及び前記微量溶解成分の分解後の液体を前記湿式集塵機に戻すことを特徴とする。
【００３３】
そして、本発明によれば、上述のように、燃焼排ガスに次亜塩素酸ソーダ及びオゾンを添加するため、燃焼排ガス中の水銀をオゾンによって効率よく除去し、次亜塩素酸ソーダの使用量を低減することができ、トリハロメタン類等の有害物質の生成を抑制し、オゾン触媒塔に加わる負荷を低減することができる。また、オゾンのみを使用した場合に、排ガス中のＮＯが酸化されてＮＯ2となり臭気が増加することを防止することもできる。さらに、水銀吸着後、及び前記微量溶解成分の分解後の液体を湿式集塵機に戻すため、系外への排水を最小限に抑えることができる。
【００３４】
前記湿式集塵機排水処理方法において、前記水銀の吸着後、及び前記微量溶解成分の分解後の液体の少なくとも一部を、該湿式集塵機の循環水に添加する次亜塩素酸ソーダの製造に利用することができる。排水には塩化ナトリウムが含まれるので、これを次亜塩素酸ソーダの生成に有効利用することができる。
【００３５】
前記湿式集塵機排水処理方法において、前記水銀の吸着後、及び前記微量溶解成分の分解後の液体の少なくとも一部を系外に排水し、前記水銀の吸着後、及び前記微量溶解成分の分解後の液体から製造した塩化ナトリウムを、該湿式集塵機の循環水に添加する次亜塩素酸ソーダの製造に利用することができる。これによって、排水を系外に放出しながら、排水中の塩化ナトリウムを有効利用することができる。
【００３６】
前記微量溶解成分の分解をオゾン触媒塔で行うことができる。特に、二酸化マンガンを触媒として用いることにより、ＮＯｘ、ダイオキシン類（ＤＸＮｓ）やポリ塩化ビフェニール（ＰＣＢ）等の残留性有機汚染物質（ＰＯＰｓ）、揮発性有機化合物（ＶＯＣ）、臭気物質等をＮ2、ＣＯ2、水等に分解することができる。
【００３７】
また、前記湿式集塵機から排出され、該湿式集塵機に戻されることのない洗煙水又はスラリーに水酸化カルシウム又は酸化カルシウムを供給し、硫酸ミストを石膏に転換することができる。これにより、湿式集塵機の循環水と上記薬剤とが接触しなくなるため、循環水のｐＨが上昇するおそれがなく、循環水に添加される次亜塩素酸ソーダの機能（酸化力）を低下させることなく、硫酸ミストを石膏に転換することができる。
【発明の効果】
【００３８】
以上のように、本発明によれば、燃焼排ガスを処理するにあたって、次亜塩素酸ソーダの使用量を大幅に低減し、トリハロメタン類等の生成を抑制し、オゾン触媒塔に加わる負荷も低減し、装置コスト及び運転コストを抑制することが可能となる。
【発明を実施するための最良の形態】
【００３９】
図１は、本発明にかかる燃焼排ガス処理装置の一実施の形態を示し、この燃焼排ガス処理装置１は、図示しないセメント焼成設備の後段に配設された電気集塵機等から排出された燃焼排ガスＧ中の水溶性成分及びダストを捕集する湿式集塵機２と、ミストセパレーター３と、循環液槽４と、ポンプ５と、循環液槽４から排出されたスラリーＳに含まれるスラッジＳＬ１を沈降除去するための沈降装置６と、沈降装置６から排出されたスラリーＳを固液分離してスラッジＳＬ２を排出するろ過フィルタ７と、ろ過フィルタ７から排出された液体中の水銀を吸着する水銀吸着塔８と、液体中の微量溶解成分を分解処理するオゾン触媒塔９と、オゾン触媒塔９に添加するオゾンを生成するオゾン生成装置１０と、オゾン触媒塔９の排水Ｗを湿式集塵機２に戻す循環ルート１１と、循環ルート１１上に配置され、排水Ｗ中の塩を濃縮して電解式次亜塩素酸ソーダ生成装置１３に供給するための塩濃縮膜１２と、湿式集塵機２へ導入される燃焼排ガスＧに添加する次亜塩素酸ソーダを生成する電解式次亜塩素酸ソーダ生成装置１３と、湿式集塵機２へ導入される燃焼排ガスＧに添加するオゾンを生成するオゾン生成装置１４等で構成される。
【００４０】
湿式集塵機２は、燃焼排ガスＧ中の水溶性成分及びダストを捕集するために備えられ、後段の図示しない触媒塔の寿命に大きな影響を与えるダスト、硫酸ミスト、塩化水素（ＨＣｌ）、水銀（Ｈｇ）等を除去する。
【００４１】
湿式集塵機２の下方には、循環液槽４が設けられ、さらに、循環液槽４内の集塵ダストスラリーの一部を湿式集塵機２に戻すためのポンプ５が配置される。また、循環液槽４の下流側には、ミストセパレーター３が配置される。
【００４２】
沈降装置６は、湿式集塵機２の循環液槽４から排出されたスラリーＳに含まれるスラッジＳＬ１を沈降除去するために備えられる。また、ろ過フィルタ７は、沈降装置６から排出されたスラリーＳを固液分離する。
【００４３】
水銀吸着塔８は、沈降装置６及びろ過フィルタ７を経て導入された液体中の水銀を吸着する。
【００４４】
オゾン触媒塔９には、オゾン生成装置１０によって生成されたオゾンが添加され、二酸化マンガン触媒のもとで、ＮＯｘ、ダイオキシン類（ＤＸＮｓ）やポリ塩化ビフェニール（ＰＣＢ）等の残留性有機汚染物質（ＰＯＰｓ）、揮発性有機化合物（ＶＯＣ）、臭気物質等をＮ2、ＣＯ2、水等に分解除去する。
【００４５】
循環ルート１１は、オゾン触媒塔９からの排水Ｗを塩濃縮膜１２を介して湿式集塵機２に戻すために備えられる。また、循環ルート１１には、系外に排水Ｗを放出するルートを併設する。循環ルート１１上には、塩濃縮膜１２が設けられ、排水Ｗ中の塩化ナトリウム（ＮａＣｌ）を濃縮して電解式次亜塩素酸ソーダ生成装置１３で利用することができる。また、この塩濃縮膜１２によって、電解式次亜塩素酸ソーダ生成装置１３に影響を及ぼすスケール成分（Ｃａ、Ｍｇ等）を排除することもできる。
【００４６】
オゾン生成装置１４は、燃焼排ガスＧに含まれる水銀等を酸化するための酸化剤としてのオゾン（Ｏ3）を生成し、湿式集塵機２へ導入される燃焼排ガスＧに添加するために備えられる。オゾン生成装置１０によるオゾンの燃焼排ガスＧへの添加量は、水銀濃度計１５によって測定された燃焼排ガスＧ中の水銀濃度によって制御される。
【００４７】
水銀濃度計１５は、ミストセパレーター３から排出されたガス中の水銀濃度を測定し、この水銀濃度が高い場合には、オゾン生成装置１０からのオゾンの添加量を増加させ、水銀濃度が低い場合には、オゾンの添加量を減少させる。
【００４８】
電解式次亜塩素酸ソーダ生成装置１３は、燃焼排ガスＧに含まれる水銀等を酸化するための酸化剤としての次亜塩素酸ソーダ（ＮａＣｌＯ）を生成するために備えられる。この次亜塩素酸ソーダは、湿式集塵機２の循環スラリーに添加される。電解式次亜塩素酸ソーダ生成装置１３は、循環スラリーに含まれる硝酸性窒素等をＮ2に分解することもできる。尚、電解式次亜塩素酸ソーダ生成装置１３からの次亜塩素酸ソーダの添加量は、残塩濃度計１６によって測定された塩素濃度によって制御される。
【００４９】
残塩濃度計１６は、水銀吸着塔から排出された洗煙水中の残留遊離塩素濃度を測定し、この塩素濃度が高い場合には、電解式次亜塩素酸ソーダ生成装置１３からの次亜塩素酸ソーダの添加量を減少させる。
【００５０】
ミストセパレーター３の下流側には、触媒塔（不図示）が備えられ、この触媒塔は、ＮＨ3等を用いて燃焼排ガスＧ中のＮＯｘ及び残留性有機汚染物質を分解して除去するため、例えば、ハニカム状に構成される。
【００５１】
次に、上記構成を有する燃焼排ガス処理装置１の動作について、図１を参照しながら説明する。尚、以下の説明においては、燃焼排ガス処理装置１によってセメントキルンの燃焼排ガスを処理する場合を例にとって説明する。
【００５２】
図示しないセメントキルンからの燃焼排ガスＧは、図示しない電気集塵機等にもたらされ、燃焼排ガスＧ中のダストが回収された後、湿式集塵機２に導入される。湿式集塵機２において、燃焼排ガスＧ中の水溶性成分及びダストを捕集し、後段の触媒塔の寿命に大きな影響を与えるダスト、水銀（Ｈｇ）等を除去する。
【００５３】
湿式集塵機２で発生した洗煙水又はスラリーは、循環液槽４及びポンプ５を介して循環し、燃焼排ガスＧと液体との接触が充分に行われ、電解式次亜塩素酸ソーダ生成装置１３及びオゾン生成装置１４から各々供給された次亜塩素酸ソーダ及びオゾンによる水銀等の酸化、並びに水溶性成分及びダスト等の回収を効率よく行うことができる。
【００５４】
ここで、水銀濃度計１５は、図示しない触媒塔へ導かれる燃焼排ガスＧの水銀濃度を測定し、オゾン生成装置１４からのオゾン添加量を制御する。すなわち、測定された水銀濃度が高い場合には、オゾンの添加量を増加し、水銀濃度が低い場合には、オゾンの添加量を減少させるように制御する。これにより、次亜塩素酸ソーダの使用量を低減することができる。但し、オゾン添加量を増加させると、燃焼排ガスＧ中のＮＯ濃度が高い場合には、ＮＯ2が増加して臭気を増加させることがあるため、この点を考慮してオゾン添加量を調整する必要がある。
【００５５】
一方、硫酸ミストは、湿式集塵機２に導入されたダストに含まれるＣａＯによって石膏に転換することができるが、ＣａＯの量が不足する場合には、循環液槽４から排出された洗煙水又はスラリーに水酸化カルシウム（Ｃａ（ＯＨ）2）又は酸化カルシウム（ＣａＯ）を供給する。水溶性成分、ダスト等が除去された燃焼排ガスＧは、ミストセパレーター３から図示しない触媒塔へ導かれ、ＮＯｘ、残留性有機汚染物質が分解される。尚、循環液槽４から排出された洗煙水又はスラリーに水酸化カルシウム（Ｃａ（ＯＨ）2）等を添加するのは、循環スラリーに添加される次亜塩素酸ソーダと、水酸化カルシウム（Ｃａ（ＯＨ）2）等との接触を避け、循環スラリーのｐＨの上昇を抑制し、次亜塩素酸ソーダの機能低下を招くことなく、硫酸ミストの石膏への転換を促進するためである。
【００５６】
循環液槽４から排出されたスラリーＳは、沈降装置６においてスラッジＳＬ１が除去され、ろ過フィルタ７においてスラッジＳＬ２が除去される。ろ過フィルタから排出された液体に含まれる水銀は、水銀吸着塔８で吸着され、さらに、オゾン触媒塔９において、液体中の微量溶解成分がＮ2、ＣＯ2、水等に分解処理される。
【００５７】
ここで、残塩濃度計１６によって、水銀吸着塔から排出された排水の塩素濃度を測定し、電解式次亜塩素酸ソーダ生成装置１３からの次亜塩素酸ソーダの添加量を制御する。すなわち、塩素濃度が高い場合には、次亜塩素酸ソーダの添加量を減少させることによって、次亜塩素酸ソーダの過剰添加による有害物質の副生を防止する。
【００５８】
水銀、ＮＯｘ等が除去されたオゾン触媒塔９からの排水Ｗは、循環ルート１１を介して湿式集塵機２に戻される。排水Ｗは、次亜塩素酸ソーダを用いて水銀を酸化した際に発生した塩化ナトリウムを含む。そこで、排水Ｗを塩濃縮膜１２に供給し、塩濃縮膜１２で濃縮することにより、濃縮された塩化ナトリウムが得られるとともに、電解式次亜塩素酸ソーダ生成装置１３に影響を及ぼすスケール成分（Ｃａ、Ｍｇ等）を排除することができる。この塩化ナトリウムを電解式次亜塩素酸ソーダ生成装置１３に供給し、次亜塩素酸ソーダの製造に利用することができる。これによって、薬剤費の低減、及び排水Ｗをセメントへ添加した場合のセメント中の塩素量の低減を図ることができる。尚、塩濃縮膜１２からの排水Ｗは、湿式集塵機２に戻して湿式集塵に利用する。
【００５９】
尚、塩濃縮膜１２を設けずに、循環ルート１１からの排水Ｗの一部を直接電解式次亜塩素酸ソーダ生成装置１３に導入することも可能である。さらに、循環ルート１１からの排水Ｗの一部を系外に排出してもよい。
【００６０】
また、上記実施の形態においては、湿式集塵機２から独立して電解式次亜塩素酸ソーダ生成装置１３を設けたが、循環液槽４に直接電極等を設け、湿式集塵機２と電解式次亜塩素酸ソーダ生成装置１３とを一体化することも可能である。
【図面の簡単な説明】
【００６１】
【図１】本発明にかかる燃焼排ガス処理装置の一実施の形態を示すフローチャートである。
【図２】従来の燃焼排ガス処理装置の一例を示すフローチャートである。
【図３】従来の燃焼排ガス処理装置の一例を示すフローチャートである。
【符号の説明】
【００６２】
１  燃焼排ガス処理装置
２  湿式集塵機
３  ミストセパレーター
４  循環液槽
５  ポンプ
６  沈降装置
７  ろ過フィルタ
８  水銀吸着塔
９  オゾン触媒塔
１０  オゾン生成装置
１１  循環ルート
１２  塩濃縮膜
１３  電解式次亜塩素酸ソーダ生成装置
１４  オゾン生成装置
１５  水銀濃度計
１６  残塩濃度計
【図１】
2008132413.tif 000003
【図２】
2008132413.tif 000004
【図３】
2008132413.tif 000005